(57)【特許請求の範囲】
【請求項１】
温度や湿度等の環境データを検出するセンサと、指針が配置された文字板と、前記指針を回転駆動するムーブメントと、前記センサが検出した環境データに応じて前記ムーブメントを制御する制御手段とを備えたアナログメータ装置において、
前記ムーブメントの駆動系は、正逆回転が可能なステッピングモータ、前記ステッピングモータに連結された減速機構、及び前記減速機構に連結された指針パイプからなり、
前記ムーブメントの駆動系は、一の環境データを表示する第１駆動系及び他の環境データを表示する第２駆動系からなり、
前記指針パイプは、前記第１駆動系に連係する第１指針パイプと前記第２駆動系に連係する第２指針パイプとを同軸状に設けてなり、
前記指針は、前記第１指針パイプ及び第２指針パイプにそれぞれ支持して設けられるものであって、前記文字板の左側に配置される、一の環境データを表示する第１指針と、前記文字板の右側に配置される、他の環境データを表示する第２指針とから構成され、
前記文字板の左側に配置される前記第１指針は、当該文字板の左側においてのみ前記一の環境データの表示がなされるとともに、文字板の右側に配置される前記第２指針は、当該文字板の右側においてのみ前記他の環境データの表示がなされるものであり、
前記制御手段は、前記第１指針パイプ及び第２指針パイプを原点位置にもたらす位置決めモードを設定してなり、
前記原点位置は、前記第１指針及び第２指針がその回転軸と交差する鉛直線に対して直角となる位置とし、
前記第１指針及び第２指針は、前記第１指針パイプ及び第２指針パイプが前記原点位置にもたらされた状態で取付けるものであって、
前記指針パイプは、前記原点位置に向って前記指針を持ち上げる方向に回転して前記原点位置で停止するようにしたことを特徴とするアナログメータ装置。
【請求項２】
温度や湿度等の環境データを検出するセンサと、指針が配置された文字板と、前記指針を回転駆動するムーブメントと、前記センサが検出した環境データに応じて前記ムーブメントを制御する制御手段とを備えたアナログメータ装置において、
前記センサとしては、異なる環境データをそれぞれ検出する第１センサ及び第２センサを備え、
前記指針としては、回転の中心軸が共通の第１指針及び第２指針を備え、
前記ムーブメントは、前記第１指針を駆動する第１駆動系と、前記第２指針を駆動する第２駆動系とを備え、
前記第１駆動系は、正逆回転が可能な第１ステッピングモータ、前記第１ステッピングモータに連結された第１減速機構、及び前記第１減速機構に連結された第１指針パイプからなるとともに、前記第２駆動系は、正逆回転が可能な第２ステッピングモータ、前記第２ステッピングモータに連結された第２減速機構、及び前記第２減速機構に連結された第２指針パイプからなり、
前記第１指針パイプ及び前記第２指針パイプは、それらの一方を他方に挿通し、
前記第１指針及び前記第２指針は、前記第１指針パイプ及び前記第２指針パイプにそれぞれ支持して設け、
当該アナログメータ装置は、前記第１センサが検出した環境データに応じて前記第１指針を回転駆動するとともに、前記第２センサが検出した環境データに応じて前記第２指針を回転駆動するようにし、且つ、前記第１指針及び前記第２指針の回転軸と交差する鉛直線を境に前記文字板を右側及び左側とするとき、前記文字板の右側及び左側の一方に前記第１指針の駆動域を設けるとともに、前記文字板の右側及び左側の他方に前記第２指針の駆動域を設けてなり、
前記制御手段は、前記第１指針パイプ及び前記第２指針パイプを原点位置にもたらす位置決めモードを設定してなり、
前記原点位置は、前記第１指針及び前記第２指針が前記鉛直線に対してそれぞれ直角となる位置とし、
前記第１指針及び前記第２指針は、前記第１指針パイプ及び前記第２指針パイプが前記原点位置にもたらされた状態で取付けるものであって、
前記第１指針パイプ及び前記第２指針パイプは、前記原点位置に向って前記第１指針及び前記第２指針をそれぞれ持ち上げる方向に回転して前記原点位置で停止するようにしたことを特徴とするアナログメータ装置。
【発明の詳細な説明】
【技術分野】
【０００１】
本発明は、温度や湿度等の環境データを検出して表示するアナログメータ装置に関する。
【背景技術】
【０００２】
一般に、アナログメータにて温度及び湿度を表示する温湿度計が知られている。特許文献１及び特許文献２に記載されたものは、バイメタル式温度計と伸縮式湿度計とを組合せたものであり、環境の変化に伴う物体の伸縮を利用して各指針をそれぞれ動かす構成となっている。特許文献１の図４にも示されているように、温度計の指針と湿度計の指針について、回転の中心軸を共通とした同軸型のものも知られている。
【０００３】
また、温度や湿度を所定のセンサにて検出し、その検出値に応じて指針をモータ駆動する構成も知られている。特許文献３及び４には、この種の温度計、湿度計が開示されている。センサとしては各種のものがあり、例えば、温度センサとしてはサーミスタ、湿度センサとしては感湿体の水分吸収に伴う導電性の変化を計測するものがよく知られている。このように指針をモータにて駆動するものは、前述したように物体の伸縮を利用して指針を動かすものと比較すると、指示遅れや誤差が小さい、目盛りの間隔が完全に一定となる、指針及び文字板の大型化が可能になる、といった利点がある。
【先行技術文献】
【特許文献】
【０００４】
【特許文献１】実公昭５４−３８９５８号公報
【特許文献２】特開２００２−２２８４８号公報
【特許文献３】特許第３６５３７４６号公報
【特許文献４】特表２００７−５３７４４２号公報
【発明の概要】
【発明が解決しようとする課題】
【０００５】
さて、指針をモータ駆動する場合は、前述したように利点が多いものの、駆動機構が複雑化するという問題がある。故に、物体の伸縮を利用して各指針を動かすもののように、同軸型のものは現在開発されていない。
【０００６】
温湿度計の形態は、その使用目的や高性能化に伴い益々多様化される傾向にあり、指針をモータ駆動するものについても、設計・製造が容易であるとともに、より精密且つ機能的なものとすべく、更なる工夫が必要であると考えられる。
【０００７】
特に、アナログメータ装置の製造時には、指針を取付ける際の位置決めが重要とされる。指針をモータ駆動する場合は、指針の駆動系に位置検出手段を設けることにより、指針の位置を認識することが可能である。但し、その駆動系に対して指針の位置がずれていると、表示の精度が損なわれることとなる。また、物体の伸縮を利用して指針を動かすものと比較すると、駆動系のバックラッシュに起因する指針の指示位置のずれを防止する構成も重要と考えられる。
【０００８】
本発明は、かかる事情に鑑みてなされたものであり、その目的は、環境データを表示する装置として合理的に構成されたものであって、指針の取付けをより正確に行うことができるアナログメータ装置を提供することである。
【課題を解決するための手段】
【０００９】
本願第１請求項に記載した発明は、実施例で用いた符号を付して記すと、温度や湿度等の環境データを検出するセンサ（２１０，２２０）と、指針（３１０，３２０）が配置された文字板（４００）と、前記指針を回転駆動するムーブメント（５００）と、前記センサが検出した環境データに応じて前記ムーブメントを制御する制御手段（６００）とを備えたアナログメータ装置（１）において、
前記ムーブメント（５００）の駆動系は、正逆回転が可能なステッピングモータ（５１１，５２１）、前記ステッピングモータに連結された減速機構（５１２，５２２）、及び前記減速機構に連結された指針パイプ（５１３，５２３）からなり、
前記ムーブメントの駆動系は、一の環境データを表示する第１駆動系（５１０）及び他の環境データを表示する第２駆動系（５２０）からなり、
前記指針パイプは、前記第１駆動系に連係する第１指針パイプ（５１３）と前記第２駆動系に連係する第２指針パイプ（５２３）とを同軸状に設けてなり、
前記指針は、前記第１指針パイプ及び第２指針パイプにそれぞれ支持して設けられるものであって、前記文字板（４００）の左側に配置される、一の環境データを表示する第１指針（３１０）と、前記文字板の右側に配置される、他の環境データを表示する第２指針（３２０）とから構成され、
前記文字板の左側に配置される前記第１指針は、当該文字板の左側においてのみ前記一の環境データの表示がなされるとともに、文字板の右側に配置される前記第２指針は、当該文字板の右側においてのみ前記他の環境データの表示がなされるものであり、
前記制御手段は、前記第１指針パイプ及び第２指針パイプを原点位置にもたらす位置決めモードを設定してなり、
前記原点位置は、前記第１指針及び第２指針がその回転軸と交差する鉛直線（Ｌ）に対して直角となる位置とし、
前記第１指針及び第２指針は、前記第１指針パイプ及び第２指針パイプが前記原点位置にもたらされた状態で取付けるものであって、
前記指針パイプは、前記原点位置に向って前記指針を持ち上げる方向に回転して前記原点位置で停止するようにした構成のアナログメータ装置（１）である。
【００１０】
本願第２請求項に記載した発明は、温度や湿度等の環境データを検出するセンサ（２１０，２２０）と、指針（３１０，３２０）が配置された文字板（４００）と、前記指針を回転駆動するムーブメント（５００）と、前記センサが検出した環境データに応じて前記ムーブメントを制御する制御手段（６００）とを備えたアナログメータ装置（１）において、
前記センサとしては、異なる環境データをそれぞれ検出する第１センサ（２１０）及び第２センサ（２２０）を備え、
前記指針としては、回転の中心軸が共通の第１指針（３１０）及び第２指針（３２０）を備え、
前記ムーブメントは、前記第１指針を駆動する第１駆動系（５１０）と、前記第２指針を駆動する第２駆動系（５２０）とを備え、
前記第１駆動系は、正逆回転が可能な第１ステッピングモータ（５１１）、前記第１ステッピングモータに連結された第１減速機構（５１２）、及び前記第１減速機構に連結された第１指針パイプ（５１３）からなるとともに、前記第２駆動系は、正逆回転が可能な第２ステッピングモータ（５２１）、前記第２ステッピングモータに連結された第２減速機構（５２２）、及び前記第２減速機構に連結された第２指針パイプ（５２３）からなり、
前記第１指針パイプ（５１３）及び前記第２指針パイプ（５２３）は、それらの一方を他方に挿通し、
前記第１指針（３１０）及び前記第２指針（３２０）は、前記第１指針パイプ及び前記第２指針パイプにそれぞれ支持して設け、
当該アナログメータ装置（１）は、前記第１センサ（２１０）が検出した環境データに応じて前記第１指針を回転駆動するとともに、前記第２センサ（２２０）が検出した環境データに応じて前記第２指針を回転駆動するようにし、且つ、前記第１指針及び前記第２指針の回転軸と交差する鉛直線（Ｌ）を境に前記文字板を右側及び左側とするとき、前記文字板の右側及び左側の一方に前記第１指針（３１０）の駆動域を設けるとともに、前記文字板の右側及び左側の他方に前記第２指針（３２０）の駆動域を設けてなり、
前記制御手段（６００）は、前記第１指針パイプ及び前記第２指針パイプを原点位置にもたらす位置決めモードを設定してなり、
前記原点位置は、前記第１指針及び前記第２指針が前記鉛直線に対してそれぞれ直角となる位置とし、
前記第１指針（３１０）及び前記第２指針（３２０）は、前記第１指針パイプ（５１３）及び前記第２指針パイプ（５２３）が前記原点位置にもたらされた状態で取付けるものであって、
前記第１指針パイプ及び前記第２指針パイプは、前記原点位置に向って前記第１指針及び前記第２指針をそれぞれ持ち上げる方向に回転して前記原点位置で停止するようにした構成のアナログメータ装置（１）である。
【発明の効果】
【００１３】
本発明によれば、環境データを表示する装置として合理的に構成されたものであって、指針の取付けをより正確に行うことができるアナログメータ装置を得ることができる。
【図面の簡単な説明】
【００１４】
【図１】本発明の実施例に係り、アナログメータ装置を示す正面図である。
【図２】本発明の実施例に係り、アナログメータ装置を示すブロック図である。
【図３】本発明の実施例に係り、筐体を示す外観図（背面斜め横から見た図）である。
【図４】本発明の実施例に係り、筐体を示す外観図（側面斜め横から見た図）である。
【図５】本発明の実施例に係り、ムーブメントを示す外観図（正面斜め横から見た図）である。
【図６】本発明の実施例に係り、ムーブメントを示す外観図（背面斜め横から見た図）である。
【図７】本発明の実施例に係り、ムーブメントを示す外観図（側面斜め横から見た図）である。
【図８】本発明の実施例に係り、ムーブメントの内部を示す背面図である。
【図９】本発明の実施例に係り、ムーブメントの内部を示す説明図である。
【図１０】本発明の実施例に係り、アナログメータ装置（電源の電力残存量が残り少なくなった場合）を示す正面図である。
【図１１】本発明の実施例に係り、第１指針の説明図である。
【図１２】本発明の実施例に係り、第２指針の説明図である。
【図１３】本発明の実施例に係り、アナログメータ装置（原点位置）を示す正面図である。
【発明を実施するための形態】
【００１５】
以下に、本発明の実施例を図面に基づいて説明する。図１及び図２に示すアナログメータ装置１は、複数の環境データとして温度と湿度をそれぞれ表示する温湿度計である。このアナログメータ装置１は、環境データを検出するセンサ２１０，２２０と、指針３１０，３２０が配置された文字板４００と、指針３１０，３２０を回転駆動するムーブメント５００と、センサ２１０，２２０が検出した環境データに応じてムーブメント５００を制御する制御手段６００とを備えている。センサとしては、環境データとして温度を検出する第１センサ２１０及び湿度を検出する第２センサ２２０を備えている。指針としては、回転の中心軸が共通の第１指針３１０及び第２指針３２０を備えている。
【００１６】
ムーブメント５００は、第１指針３１０を駆動する第１駆動系５１０と、第２指針３２０を駆動する第２駆動系５２０と、第１駆動系５１０及び第２駆動系５２０を保持するケース体５３０とを備えている。
【００１７】
このアナログメータ装置１は、第１センサ２１０が検出した環境データに応じて第１指針３１０を回転駆動するとともに、第２センサ２２０が検出した環境データに応じて第２指針３２０を回転駆動する構成となっている。
【００１８】
文字板４００は、アナログメータ装置１の筐体１００の正面に支持された透明カバー１１０に覆われている。第１センサ２１０、第２センサ２２０、ムーブメント５００、及び制御手段６００は、筐体１００の内部に配置されている。
【００１９】
文字板４００には、第１指針３１０及び第２指針３２０の回転軸を中心に等間隔で温度計の目盛り４０１を設けた第１指針３１０の駆動域と、同じく湿度計の目盛り４０２を設けた第２指針３２０の駆動域が設けられている。各指針３１０，３２０は、それぞれの駆動域において回転駆動する構成となっている。
【００２０】
図例した筐体１００は、円形薄型のものであり、その背部には、壁側のフックに係止するための係止部１２０、及びこれを立て掛けるための収納式脚体１３０が設けられている。また、図中の１４０は、アナログメータ装置１の電源１０となる電池を収納するための電池ボックスである。
【００２１】
次に、本例のムーブメント５００について説明する。図５乃至図９に示すように、本例のムーブメント５００は、第１駆動系５１０及び第２駆動系５２０を薄型のケース体５３０に収納してなるものである。制御手段６００は、所要の回路を設けた回路基板であり、ケース体５３０の正面に装着され、第１センサ２１０及び第２センサ２２０は、その回路基板に搭載されている。
【００２２】
すなわち、アナログメータ装置１の製造においては、第１駆動系５１０及び第２駆動系５２０をケース体５３０の内部に設けてムーブメント５００を作成し、そして第１センサ２１０、第２センサ２２０、ムーブメント５００、及び制御手段６００を組付けて一つのユニットとし、これを筐体１００の内部に配置する。このような構成によると、組付け作業の煩雑化を回避することができる。また、このようなユニットを筐体１００の内部に配置する構成であれば、筐体１００のデザインや大きさを容易に設計変更することが可能となる。すなわち、アナログメータ装置１の設計の自由度が向上し、多様な製品開発を容易に行うことが可能となる。
【００２３】
特に、制御手段６００たる回路基板にセンサ２１０，２２０を設けることによれば、センサ２１０，２２０による検出精度の確保が容易になるという利点がある。一般に、リード線を介してセンサを基板に接続すると、リード線の電気抵抗や配線容量等により、センサの検出には測定誤差が生じる。この点、本例によれば、そのような測定誤差の問題を回避することができる。部品点数が削減されるうえ、検出精度も向上する。更に、筐体の設計時には、センサをどこに配置するかを考慮する必要がないので、設計作業も容易となる。
【００２４】
第１駆動系５１０は、正逆回転が可能な第１ステッピングモータ５１１、第１ステッピングモータ５１１に連結された第１減速機構５１２、及び第１減速機構５１２に連結された第１指針パイプ５１３からなるとともに、第２駆動系５２０は、正逆回転が可能な第２ステッピングモータ５２１、第２ステッピングモータ５２１に連結された第２減速機構５２２、及び第２減速機構５２２に連結された第２指針パイプ５２３からなるものである。各減速機構５１２，５２２は、所定のギア比を設定してなる輪列であり、各指針パイプ５１３，５２３の基端部には、各減速機構５１２，５２２と噛合するギア部がそれぞれ設けられている。
【００２５】
第１指針パイプ５１３及び第２指針パイプ５２３は、それらの一方を他方に挿通し、且つケース体５３０の正面外部に突出するように設けられている。制御手段６００たる回路基板の要所には、第１指針パイプ５１３及び第２指針パイプ５２３を貫通する孔部６０１が設けられている。第１指針パイプ５１３及び第２指針パイプ５２３は、ケース体５３０を筐体１００の内部に配置するとともに文字板４００の中央に突出する。第１指針３１０及び第２指針３２０は、第１指針パイプ５１３及び第２指針パイプ５２３にそれぞれ支持して設けられている。
【００２６】
また、本例のムーブメント５００は、第１指針パイプ５１３及び第２指針パイプ５２３の位置を検出する位置検出手段５４０を備えている。図例した位置検出手段５４０は、発光素子５４１及び受光素子５４２からなるフォトインタラプタである。発光素子５４１及び受光素子５４２は、それらの間に第１駆動系５１０及び第２駆動系５２０を挟むように配置されている。具体的には、発光素子５４１及び受光素子５４２の一方は、制御手段６００たる回路基板に設けるとともに、それらの他方は、ケース体５３０の背面側の要所に設けられている。発光素子５４１及び受光素子５４２の間に位置する第１駆動系５１０及び第２駆動系５２０の要所には、発光素子５４１の光を透過する透光部５４３が設けられている。発光素子５４１としてはＬＥＤ、受光素子５４２としてはフォトトランジスタを採用している。位置検出時には、発光素子５４１を点灯しつつ第１駆動系５１０及び第２駆動系５２０をそれぞれ駆動する。各指針パイプ５１３，５２３の位置は、その際の受光素子５４２の検出パターンから特定する構成となっている。尚、位置検出手段５４０としては、フォトインタラプタの他に、フォトリフレクタを採用することも可能である。また、本例の位置検出手段５４０は、一対の発光素子５４１及び受光素子５４２にて第１指針パイプ５１３及び第２指針パイプ５２３の双方の位置を検出するものである。但し、位置検出手段５４０は、各駆動系５１０，５２０に対して発光素子５４１及び受光素子５４２をそれぞれ設けて構成することも可能である。
【００２７】
位置検出手段５４０による位置検出は、筐体の背面に設けられたリセットスイッチ７１０が押された際に実行される。或は、計時手段を備えた制御手段６００により、定期的に（例えば１日に一回）行うように構成してもよい。第１指針パイプ５１３及び第２指針パイプ５２３の位置を検出した後、制御手段６００は、第１ステッピングモータ５１１及び第２ステッピングモータ５２１のステップ数をカウントして第１指針３１０及び第２指針３２０の指示位置をそれぞれ認識する。
【００２８】
本例の場合、筐体１００の正面又は側面には、モニタースイッチ７２０が設けられている。本例では、制御手段６００は、所定の時間帯（例えば２４時間前から現在に至るまでの時間帯）における最高気温、最低気温、最高湿度、及び最低湿度を記憶しており、このモニタースイッチ７２０が押された際には、第１指針３１０及び第２指針３２０の指示位置により、それらを表示する構成となっている。つまり、過去の環境データを表示する構成となっている。
【００２９】
例えば、モニタースイッチ７２０を１回押すと、第１指針３１０が最高気温を示すとともに第２指針３２０が最高湿度を示し、２回押すと、第１指針３１０が最低気温を示すとともに第２指針３２０が最低湿度を示す。３回押すと、或はモニタースイッチ７２０が一定時間（例えば３０秒）押されないと、再び第１指針３１０が現在の気温を示すとともに第２指針３２０が現在の湿度を示す状態に復帰する。筐体１００の内部には、スピーカ７３０が設けられており、モニタースイッチ７２０が押された際には、メロディーとともに所要のアナウンスが流れる構成となっている。或は、計時手段を備えた制御手段６００により、過去の環境データの表示を定期的に行うように構成してもよい。
【００３０】
このように、過去の環境データを表示する構成によると、アナログメータ装置１の多機能化を達成することができる。
【００３１】
更に本例では、図１０に示すように、電源１０の電力残存量が残り少なくなった場合、第１指針３１０及び第２指針３２０を重ねて停止する構成となっている。制御手段６００は、電源１０の電圧が予め設定された所定の値を下回ると、電力が完全に断たれる前に第１指針３１０及び第２指針３２０を所定の位置へと回転駆動し、その位置でそれらを停止する。温度計の目盛り４０１と湿度計の目盛り４０２との間には、それらの目盛り４０１，４０２が設けられていないブランク部４０３が設けられており、第１指針３１０及び第２指針３２０は、ブランク部４０３を指示する位置に重ねて停止される。
【００３２】
このような構成によると、アナログメータ装置１を見る者に対し、速やかに電池切れを告知することができる。仮に、環境データを表示する状態のまま電池切れになると、各指針３１０，３２０は電池切れの時点の環境データを表示したままとなり、アナログメータ装置１を見る者が、それを現在の環境データであると誤解をしてしまう場合が考えられる。この点、本例によれば、一目で電池切れであることが認識できるので、そのような不都合を回避することができる。
【００３３】
次に、環境データの表示時における各指針３１０，３２０の回転駆動について詳述する。図１１に示すように、第１ステッピングモータ５１１の１ステップあたりの第１指針３１０の回転角度に相当する環境データ（温度）の量をＡとするとき、第１指針３１０は、環境データをＡの間隔で離散的に表示するものとなっている。図例したものは、第１ステッピングモータ５１１の１ステップあたりの第１指針３１０の回転角度が０．５°、その回転角度に対応する環境データの量が０．２℃となっている。温度計の目盛り４０１は、Ａの５倍、すなわち１℃間隔となっている。
【００３４】
また、図１２に示すように、第２ステッピングモータ５２１の１ステップあたりの第２指針３２０の回転角度に相当する環境データ（湿度）の量をＢとするとき、第２指針３２０は、環境データをＢの間隔で離散的に表示するものとなっている。図例したものは、第２ステッピングモータ５２１の１ステップあたりの第２指針３２０の回転角度が１°、その回転角度に対応する環境データの量が０．５％となっている。湿度計の目盛り４０２は、Ｂの２倍、すなわち１％間隔となっている
【００３５】
第１センサ２１０及び第２センサ２２０は、それぞれ所定の環境データをアナログ信号として検出するものである。制御手段６００は、所定の時間間隔で、第１センサ２１０及び第２センサ２２０が検出したアナログ信号の各環境データをそれぞれアナログ・デジタル変換し、その変換した値を表示する位置に第１指針３１０及び第２指針３２０をそれぞれ回転駆動するようにムーブメント５００を制御する。一般的な生活の場で日常的に使用する温度計、湿度計であれば、その時間間隔は２０秒以上且つ１８０秒以下が実用的な範囲であり、本例では６０秒間隔となっている。
【００３６】
このように、２０秒以上の時間間隔で指針３１０，３２０を回転駆動する構成によれば、環境データの僅かな変化によって指針３１０，３２０が小刻みに往復運動するといった指針３１０，３２０の不要な挙動を回避することができる。消費電力も低減することができる。
【００３７】
次に、本例における第１指針３１０及び第２指針３２０の駆動域について説明する。本例のアナログメータ装置１は、第１指針３１０及び第２指針３２０の回転軸と交差する鉛直線Ｌ（図１参照）を境に文字板４００を右側及び左側とするとき、文字板４００の右側及び左側の一方に第１指針３１０の駆動域を設けるとともに、文字板４００の右側及び左側の他方に第２指針３２０の駆動域を設けてなるものである。図例では、左側に第１指針３１０の駆動域を設け、右側に第２指針３２０の駆動域を設けている。各駆動域には、前述した温度計の目盛り４０１及び湿度計の目盛り４０２がそれぞれ設けられている。
【００３８】
第１指針３１０による温度表示は、第１指針３１０が鉛直線Ｌを左側から右側に越えてなされることはない。また、第２指針３２０による湿度表示は、第２指針３２０が鉛直線Ｌを右側から左側に越えてなされることはない。
【００３９】
このような構成によると、第１駆動系５１０のバックラッシュに起因する第１指針３１０の指示位置のずれ、及び第２駆動系５２０のバックラッシュに起因する第２指針３２０の指示位置のずれを防止することができる。各指針３１０，３２０が鉛直線Ｌを越えて回転駆動すると、バックラッシュが生じることにより指示位置のずれが不可避となるが、本例ではそのような不都合を回避することができる。
【００４０】
本例のように、指針３１０，３２０をステッピングモータ５１１，５２１にて回転駆動するものは、物体の伸縮を利用して指針を動かすものと比較すると、指針３１０，３２０及び文字板４００の大型化が可能となる。但し、バックラッシュが生じるという問題がある。バックラッシュの影響は、大型化に伴い顕著となるため、それに対処するための構成は、このようなアナログメータ装置１において重要性が高い。
【００４１】
すなわち、本例のアナログメータ装置１は、回転の中心軸が共通の第１指針３１０及び第２指針３２０をそれぞれステッピングモータ５１１，５２１にて駆動するものについて、文字板４００のレイアウトを工夫することにより、各指針３１０，３２０による表示をより正確になさしめるという顕著な効果を達成したものとなっている。
【００４２】
次に、本例のアナログメータ装置１の製造時における指針３１０，３２０の取付けについて説明する。本例の制御手段６００は、第１指針パイプ５１３及び第２指針パイプ５２３を原点位置にもたらす位置決めモードを設定してなるものである。原点位置は、図１３に示すように、第１指針３１０及び第２指針３２０が鉛直線Ｌに対してそれぞれ直角となる位置となっている。
【００４３】
位置決めモードを実行する入力操作がなされると、先ずは前述した位置検出手段５４０により位置検出をする。位置検出は、各指針パイプ５１３，５２３を所定の方向に回転してなされる。各指針パイプ５１３，５２３は、位置検出がなされると原点位置で停止する。位置決めモードを実行する入力操作の方法は、特に限定はしないが、本例の場合、リセットスイッチ７１０とモニタースイッチ７２０が同時に３秒以上押された際に、位置決めモードを実行する構成となっている。
【００４４】
そして、アナログメータ装置１の製造時において、第１指針３１０及び第２指針３２０は、第１指針パイプ５１３及び第２指針パイプ５２３が原点位置にもたらされた状態で取付けるようにした。
【００４５】
このような構成によると、指針３１０，３２０の取付け作業を速やかに且つ正確に行うことができる。特に、かかる原点位置によれば、第１指針３１０と第２指針３２０との角度が１８０°となり、それらが直線上に並ぶことから、目視による確認が容易であり、作業性にも優れている。更に、使用しているアナログメータ装置１について、この位置決めモードを実行すれば、その指針３１０，３２０の指示位置が正確であるかどうかを確認することが可能である。
【００４６】
また、位置決めモードによると、第１指針パイプ５１３及び第２指針パイプ５２３は、原点位置に向って第１指針３１０及び第２指針３２０をそれぞれ持ち上げる方向に回転して原点位置で停止する構成となっている。図例したものは、第１指針パイプ５１３が右回りをして原点位置で停止し、第２指針パイプ５２３が左回りをして原点位置で停止する。この状態で各指針３１０，３２０を各指針パイプ５１３，５２３にそれぞれ取付けることによれば、指針３１０，３２０を取付けた時点でバックラッシュが発生した状態となる事態を回避することができる。
【００４７】
バックラッシュによると、指針パイプ５１３，５２３は指針３１０，３２０が自重で下がる方向に僅かに回転することとなる。すなわち、第１指針パイプ５１３であれば左回り、第２指針パイプ５２３であれば右回りに僅かに回転することとなる。この点、本例では、バックラッシュによる回転の方向に対し、その逆の方向から原点位置に向って指針パイプ５１３，５２３を回転させている。バックラッシュを発生させないための工夫である。
【００４８】
特に、鉛直方向に対する指針３１０，３２０の角度をθ、指針３１０，３２０の回転軸から指針３１０，３２０の重心までの距離をｌｇ、指針３１０，３２０の重さをｗ、指針パイプ５１３，５２３にかかる負荷トルクをＴａとするとき、これらの関係式は、Ｔａ＝ｗ×ｌｇ×sinθ、となる。負荷トルクＴａは、角度θが９０°、すなわち指針３１０，３２０がその回転軸と交差する鉛直線Ｌに対して直角となるときに最大値となる。かかる状態において指針３１０，３２０と目盛り４０１，４０２とが一致していれば、他の角度においてバックラッシュによるずれが発生する可能性は低い。故に本例では、負荷トルクＴａが最大値となる角度を原点位置としている。指針３１０，３２０を取付けた時点でバックラッシュが発生した状態となる事態を回避するという点で、極めて有利な構成となっている。
【００４９】
尚、温度計の目盛り４０１及び湿度計の目盛り４０２は、文字板４００に印刷によって設けられている。指針３１０,３２０と目盛り４０１,４０２とのずれは、文字板４００の印刷の微妙なずれ、及び文字板４００とムーブメント５００との微妙な組付け誤差により、指針３１０，３２０を位置決めした位置から離れるに従って大きくなる。しかるに本例では、指針３１０，３２０を位置決めする原点位置が目盛りの中間部位となっており、それらのずれができるだけ目立つことがないように構成されている。通常の生活空間においては、快適な温度が２０℃前後、湿度が５０％前後と考えられる。そこで本例では、原点位置における第１指針３１０の指示温度を２０℃とし、第２指針３２０の指示湿度を５０％としている。すなわち、室内空調等も考慮して、年間を通じて指示頻度が比較的高いと考えられる部位を原点位置とし、その原点位置において指針３１０,３２０を取付け、印刷や組付けにおける精度上の誤差が生じても、指針３１０，３２０と目盛り４０１，４０２とのずれが小さくなるように工夫されている。
【００５０】
以上説明したように、本例のアナログメータ装置は、モータにて指針を駆動する温湿度計として極めて合理的に構成されたものである。尚、本例における各部の構成は、特許請求の範囲に記載した技術的範囲において適宜に設計変更が可能であり、図例説明したものに限定されないことは勿論である。例えば、本例では環境データとして温度及び湿度を検出して表示するものとしたが、或は、気圧等の他の環境データを検出して表示するように構成することも可能である。
【産業上の利用可能性】
【００５１】
本発明のアナログメータ装置は、アナログ式の温湿度計として好適に利用することが可能である。
【符号の説明】
【００５２】
１    アナログメータ装置
１０    電源
１００    筐体
１１０    透明カバー
１２０    係止部
１３０    収納式脚体
１４０    電池ボックス
２１０    第１センサ
２２０    第２センサ
３１０    第１指針
３２０    第２指針
４００    文字板
４０１    温度計の目盛り
４０２    湿度計の目盛り
４０３    ブランク部
５００    ムーブメント
５１０    第１駆動系
５１１    第１ステッピングモータ
５１２    第１減速機構
５１３    第１指針パイプ
５２０    第２駆動系
５２１    第２ステッピングモータ
５２２    第２減速機構
５２３    第２指針パイプ
５３０    ケース体
５４０    位置検出手段
５４１    発光素子
５４２    受光素子
５４３    透光部
６００    制御手段
６０１    孔部
７１０    リセットスイッチ
７２０    モニタースイッチ
７３０    スピーカ
【図１】
0005382816.tif 000002
【図２】
0005382816.tif 000003
【図３】
0005382816.tif 000004
【図４】
0005382816.tif 000005
【図５】
0005382816.tif 000006
【図６】
0005382816.tif 000007
【図７】
0005382816.tif 000008
【図８】
0005382816.tif 000009
【図９】
0005382816.tif 000010
【図１０】
0005382816.tif 000011
【図１１】
0005382816.tif 000012
【図１２】
0005382816.tif 000013
【図１３】
0005382816.tif 000014